(57)【要約】【課題】複数台の音声案内を有する家庭用電気機器において、各家庭用電気機器と接続することで一括して音声案内を行う音声案内装置を使用することで、家庭内の何処にいても離れた場所にある家庭用電気機器の音声案内が確認することができる音声ガイドシステムを提供することを目的としている。【解決手段】複数の家庭用電気機器１Ａ、１Ｂ、１Ｃに音声案内情報を出力する接続部３Ａ、３Ｂ、３Ｃを備え、音声案内装置本体４Ａには、音声の出力を行う音声出力部５Ａと、家庭用電気機器１Ａ、１Ｂ、１Ｃの接続部３Ａ、３Ｂ、３Ｃと電気的に接続可能な音声案内装置側接続部６Ａ、６Ｂ、６Ｃと音声出力部５Ａと電気的に接続可能な接続部７Ａを備えた音声案内装置９Ａにより構成され、家庭用電気機器１Ａ、１Ｂ、１Ｃからの音声案内情報を音声出力部５Ａにて一括して音声案内できる音声ガイドシステムが得られる。【選択図】図１
2008065420.tif 000002
【特許請求の範囲】
【請求項１】
音声案内手段を有する複数の家庭用電気機器とその音声案内を一括して行う音声案内装置を備えた音声ガイドシステム。
【請求項２】
家庭用電気機器から離れた場所で音声案内することを特徴とする請求項１記載の音声ガイドシステム。
【請求項３】
音声案内装置を移動可能としたことを特徴とする請求項１記載の音声ガイドシステム。
【請求項４】
複数の家庭用電気機器と有線接続可能な請求項１記載の音声ガイドシステム。
【請求項５】
複数の家庭用電気機器と無線通信可能な請求項１記載の音声ガイドシステム。
【請求項６】
複数の音声案内装置を有する請求項１記載の音声ガイドシステム。
【請求項７】
家屋内で人がいる場所に近い音声案内装置で音声案内を行うことを特徴とする請求項１記載の音声ガイドシステム。
【請求項８】
家庭用電気機器の音声案内情報を音声案内装置へ送信可能とした音声ガイドシステム。
【請求項９】
有線接続にて音声案内装置へ音声案内情報を送信可能とした請求項８記載の音声ガイドシステム。
【請求項１０】
音声案内情報が記憶された家庭用電気機器に付属の情報記憶装置により音声案内情報を音声案内装置に取り込み可能とした請求項８記載の音声ガイドシステム。
【請求項１１】
音声案内可能な家庭用電気機器に付属のバーコード（ＱＲ）を携帯端末で読み込みその情報（ガイド案内情報）を音声案内装置に取り込み可能とした請求項８記載の音声ガイドシステム。
【請求項１２】
家庭用電気機器の音声案内の音質、案内メッセージを好みに合わせて変更可能とした請求項８記載の音声ガイドシステム。
【請求項１３】
家屋内にある音響機器や、映像機器に音声情報や映像情報を送信し、音声や映像でガイドする音声ガイドシステム。
【発明の詳細な説明】
【技術分野】
【０００１】
本発明は、音声案内を有する家電用電気機器音声ガイドシステムに関する。
【背景技術】
【０００２】
従来、この種の音声ガイドシステムは表示手段を備えた家庭用電気機器及びその操作方法によるものが知られている（例えば特許文献１参照）。
【０００３】
以下、表示手段を備えた家庭用電気機器及びその操作について図１３を参照しながら説明する。
【０００４】
図に示すように、家庭用電気機器１０１に操作を行う操作部１０２と操作内容等を表示する表示部１０３と音声情報を出力するスピーカー１０４を備え、このみに合わせて操作内容を表示部１０３に表示するか、あるいは音声情報としてスピーカー１０４より出力するか、もしくは、同時に両方を実施するか選択可能なように構成されていた。
【特許文献１】特開２００２−１１２７５号公報
【発明の開示】
【発明が解決しようとする課題】
【０００５】
このような表示手段を備えた家庭用電気機器及びその操作方法では、家庭用電気機器毎に表示内容、音声出力情報を設定可能であるが、家屋内のさまざまは場所に設置される家庭用電気機器が音声出力を行っても、聞こえない場合があるという課題があった。
【０００６】
本発明は、上記課題を解決するもので、屋内のどこに在室していても音声情報の確認が可能な音声ガイドシステムを提供することを目的としている。
【課題を解決するための手段】
【０００７】
本発明の情報記憶装置は、上記目的を達成するために、音声案内手段を有する複数の家庭用電気機器とその音声案内を一括して行う音声案内装置を備えたものである。
【０００８】
この手段により、複数の家庭用電気機器の音声案内を一箇所でまとめて行える音声ガイドシステムが得られる。
【０００９】
また、他の手段は、家庭用電気機器から離れた場所で音声案内することを特徴としたものである。
【００１０】
この手段により、音声案内を行う家庭用電気機器から離れた場所に居ても音声案内を確認できる音声ガイドシステムが得られる。
【００１１】
また、他の手段は、音声案内装置を移動可能としたことを特徴したものである。
【００１２】
この手段により、常に音声案内装置が音声案内確認可能な範囲に可搬することができる音声ガイドシステムが得られる。
【００１３】
また、他の手段は、複数の家庭用電気機器と有線接続可能としたものである。
【００１４】
この手段により、簡単な構成で音声案内を行う家庭用電気機器から離れた場所に居ても音声案内を確認できる音声ガイドシステムが得られる。
【００１５】
また、他の手段は、複数の家庭用電気機器と無線通信可能としたものである。
【００１６】
この手段により、音声ガイド装置と家庭用電気機器の接続不要な音声ガイドシステムが得られる。
【００１７】
また、他の手段は、複数の音声出力部を有したものである。
【００１８】
この手段により、屋内の何処に在室していても最も近く人設置された音声案内装置からの音声案内が確認できる音声ガイドシステムが得られる。
【００１９】
また、他の手段は、家屋内で人がいる場所に近い音声案内装置で音声案内を行うことを特徴としたものである。
【００２０】
この手段により、人が居ない不要な場所で音声案内をしない音声ガイドシステムが得られる。
【００２１】
また、他の手段は、家庭用電気機器の音声案内情報を音声案内装置へ送信可能としたものである。
【００２２】
この手段により、家庭用電気機器と音声案内装置との接続や、音声案内情報の通信が不要な音声ガイドシステムが得られる。
【００２３】
また、他の手段は、有線接続にて音声案内装置へ音声案内情報を送信可能としたものである。
【００２４】
この手段により、使用時の家庭用電気機器と音声案内装置との接続が不要な音声ガイドシステムが得られる。
【００２５】
また、他の手段は、音声案内情報が記憶された家庭用電気機器に付属の情報記憶装置により音声案内装置に取り込み可能としたものである。
【００２６】
この手段により、音声案内情報を比較的容易に音声案内装置に取り込むことが可能な音声ガイドシステムが得られる。
【００２７】
また、他の手段は、音声案内可能な家庭用電気機器に付属のバーコード（ＱＲ）を携帯端末で読み込みその情報（ガイド案内情報）を音声案内装置に取り込み可能としたものである。
【００２８】
この手段により、容易に音声案内情報を音声案内装置に取り込むことが可能な音声ガイドシステムが得られる。
【００２９】
また、他の手段は、家庭用電気機器の音声案内の音質、案内メッセージを好みに合わせて変更可能としたものである。
【００３０】
この手段により、使用者の好みや聞き取りやすい音声案内へ変更可能な音声ガイドシステムが得られる。
【００３１】
また、他の手段は、家屋内にある音響機器や、映像機器に音声情報や映像情報を送信し、音声や映像でガイドするものである。
【００３２】
この手段により、比較的簡素な構成で家庭用電気機器の音声案内可能な音声ガイドシステムが得られる。
【発明の効果】
【００３３】
本発明によれば、複数の家庭用電気機器の音声案内を一箇所でまとめて行える音声ガイドシステムを提供できる。
【００３４】
また、音声案内を行う家庭用電気機器から離れた場所に居ても音声案内を確認できる音声ガイドシステムを提供できる。
【００３５】
また、常に音声案内装置が音声案内確認可能な範囲に可搬することができる音声ガイドシステムを提供できる。
【００３６】
また、簡単な構成で音声案内を行う家庭用電気機器から離れた場所に居ても音声案内を確認できる音声ガイドシステムが得られる。
【００３７】
また、音声ガイド装置と家庭用電気機器の接続不要な音声ガイドシステムを提供できる。
【００３８】
また、人が居る最も近くに設置された音声案内装置からの音声案内が確認できる音声ガイドシステムを提供できる。
【００３９】
また、人が居ない不要な場所で音声案内をしない音声ガイドシステムを提供できる。
【００４０】
また、家庭用電気機器と音声案内装置との接続や、音声案内情報の通信が不要な音声ガイドシステムを提供できる。
【００４１】
また、使用時の家庭用電気機器と音声案内装置との接続が不要な音声ガイドシステムを提供できる。
【００４２】
また、音声案内情報を比較的容易に音声案内装置に取り込むことが可能な音声ガイドシステムを提供できる。
【００４３】
また、容易に音声案内情報を音声案内装置に取り込むことが可能な音声ガイドシステム提供できる。
【００４４】
また、使用者の好みや聞き取りやすい音声案内へ変更可能な音声ガイドシステムを提供できる。
【００４５】
また、比較的簡素な構成で家庭用電気機器の音声案内可能な音声ガイドシステムを提供できる。
【発明を実施するための最良の形態】
【００４６】
本発明の請求項１記載の発明は、音声案内手段を有する複数の家庭用電気機器とその音声案内を一括して行う音声案内装置を備えたものであり、複数の家庭用電気機器の音声案内を一箇所でまとめて行えるという作用を有する。
【００４７】
また、請求項２記載の発明は、家庭用電気機器から離れた場所で音声案内することを特徴としたものであり、音声案内を行う家庭用電気機器から離れた場所に居ても音声案内を確認できるという作用を有する。
【００４８】
また、請求項３記載の発明は、音声案内装置を移動可能としたことを特徴したものであり、常に音声案内装置が音声案内確認可能な範囲に可搬することができるという作用を有する。
【００４９】
また、請求項４記載の発明は、複数の家庭用電気機器と有線接続可能としたものであり、簡単な構成で音声案内を行う家庭用電気機器から離れた場所に居ても音声案内を確認できるという作用を有する。
【００５０】
また、請求項５記載の発明は、複数の家庭用電気機器と無線通信可能としたものであり、音声ガイド装置と家庭用電気機器の接続不要という作用を有する。
【００５１】
また、請求項６記載の発明は、複数の音声出力部を有したものであり、人が居る最も近くに設置された音声案内装置からの音声案内が確認できるという作用を有する。
【００５２】
また、請求項７記載の発明は、家屋内で人がいる場所に近い音声案内装置で音声案内を行うことを特徴としたものであり、人が居ない不要な場所で音声案内をしないという作用を有する。
【００５３】
また、請求項８記載の発明は、家庭用電気機器の音声案内情報を音声案内装置へ送信可能としたものであり、家庭用電気機器と音声案内装置との接続や、音声案内情報の通信が不要という作用を有する。
【００５４】
また、請求項９記載の発明は、有線接続にて音声案内装置へ音声案内情報を送信可能としたものであり、使用時の家庭用電気機器と音声案内装置との接続が不要という作用を有する。
【００５５】
また、請求項１０記載の発明は、音声案内情報が記憶された家庭用電気機器に付属の情報記憶装置により音声案内装置に取り込み可能としたものであり、音声案内情報を比較的容易に音声案内装置に取り込むことが可能とうい作用を有する。
【００５６】
また、請求項１１記載の発明は、音声案内可能な家庭用電気機器に付属のバーコード（ＱＲ）を携帯端末で読み込みその情報（ガイド案内情報）を音声案内装置に取り込み可能としたものであり、容易に音声案内情報を音声案内装置に取り込むことが可能という作用を有する。
【００５７】
また、請求項１２記載の発明は、家庭用電気機器の音声案内の音質、案内メッセージを好みに合わせて変更可能としたものであり、使用者の好みや聞き取りやすい音声案内へ変更可能という作用を有する。
【００５８】
また、請求項１３の発明は、家屋内にある音響機器や、映像機器に音声情報や映像情報を送信し、音声や映像でガイドするものであり、比較的簡素な構成で家庭用電気機器の音声案内可能という作用を有する。
【００５９】
以下、本発明の実施形態について図面を参照しながら説明する。
【００６０】
（実施の形態１）
図１〜図２に示すように、音声案内を有する複数の家庭用電気機器１Ａ、１Ｂ、１Ｃは、機器の制御を行う制御部２Ａ、２Ｂ、２Ｃと、音声案内情報を出力する接続部３Ａ、３Ｂ、３Ｃを備え、音声案内装置本体４Ａは、音声の出力を行う音声出力部５Ａと、家庭用電気機器１Ａ、１Ｂ、１Ｃの接続部３Ａ、３Ｂ、３Ｃと電気的に接続可能な音声案内装置側接続部６Ａ、６Ｂ、６Ｃと音声出力部５Ａと電気的に接続可能な接続部７Ａと家庭用電気機器１Ａ、１Ｂ、１Ｃからの音声情報と、音声出力部５Ａへの出力制御を行う音声案内制御部８Ａを備えた音声案内装置９Ａにより構成される。
【００６１】
家庭用電気機器１Ａ、１Ｂ、１Ｃの一例として、音声にて機器の動作状態や、異常を案内する、炊飯器、冷蔵庫、空気清浄機、空気調和機、エアコン等の家庭用の電気機器がある。
【００６２】
音声出力部５Ａを音声案内装置本体４Ａと電気的に接続可能として構成したが、音声案内が出力できれば、音声案内装置本体４Ａに内蔵してもよい。
【００６３】
音声出力部５Ａの一例として、スピーカーがある。
【００６４】
音声出力部５Ａと音声案内装置９Ａは電気的に接続可能であれば、有線接続でも電波や赤外線を利用した無線通信でもよい。
【００６５】
上記構成により、使用者は、音声出力部５Ａを常に人が居る場所、または、音声案内が確認可能な場所へ移動して設置し、音声案内装置９Ａの接続部７Ａと接続する。音声案内装置本体４Ａと家庭用電気機器１Ａ、１Ｂ、１Ｃは接続部３Ａ、３Ｂ、３Ｃと音声案内装置側接続部６Ａ、６Ｂ、６Ｃをそれぞれ電気的に接続を行う。この状態で家庭用電気機器１Ａ、１Ｂ、１Ｃを運転し、家庭用電気機器１Ａ、１Ｂ、１Ｃで設定されている音声案内をする状況となった場合、家庭用電気機器１Ａ、１Ｂ、１Ｃの制御部２Ａ、２Ｂ、２Ｃよりその案内情報が電気的信号により接続部３Ａ、３Ｂ、３Ｃを経由して音声案内装置側接続部６Ａ、６Ｂ、６Ｃへ伝達され、音声案内制御部８Ａによりその情報が処理され、音声情報として、音声出力部５Ａへ接続部７Ａを経由して電気的信号で伝達され、音声として案内される。こうすることにより、家庭用電気機器から離れた場所に居ても音声案内情報の確認を行うことができる。
【００６６】
なお、本実施例では、家庭用電気機器と音声案内装置に専用の接続部を設け、音声案内する構成としたが、屋内配線とコンセントを用い屋内電灯線に信号を重畳させる方法でも同様な効果が得られる。
【００６７】
（実施の形態２）
図３〜図４に示すように、音声案内を有する複数の家庭用電気機器１Ｄ、１Ｅ、１Ｆは、機器の制御を行う制御部２Ｄ、２Ｅ、２Ｆと、音声案内情報を無線通信可能な送信部１０Ａ、１０Ｂ、１０Ｃを備え、音声案内装置本体４Ｂは、音声の出力を行う音声出力部５Ａと、家庭用電気機器１Ｄ、１Ｅ、１Ｆと無線通信可能な受信部１１と、音声出力部５Ａと電気的に接続可能な接続部７Ａと家庭用電気機器１Ｄ、１Ｅ、１Ｆからの音声情報と、音声出力部５Ａへの出力制御を行う音声案内制御部８Ｂを備えた音声案内装置９Ｂにより構成される。
【００６８】
実施例１同様に、家庭用電気機器１Ｄ、１Ｅ、１Ｆの一例として、音声にて機器の動作状態や、異常を案内する、炊飯器、冷蔵庫、空気清浄機、空気調和機等がある。
【００６９】
音声出力部５Ａを音声案内装置９Ｂと電気的に接続可能として構成したが、音声案内が出力できれば、音声案内装置９Ｂに内蔵してもよい。
【００７０】
音声出力部５Ａの一例として、スピーカーがある。
【００７１】
音声出力部５Ａと音声案内装置９Ｂは電気的に接続可能であれば、有線接続でも電波や赤外線を利用した無線通信でもよい。
【００７２】
通信部１０Ａ、１０Ｂ、１０Ｃと受信部１１は無線通信ができれば電波を利用しても赤外線等を利用してもよい。
【００７３】
上記構成により、使用者は、音声出力部５Ａを常に人が居る場所、または、音声案内が確認可能な場所へ移動して設置し、音声案内装置９Ｂの接続部７Ａと接続する。この状態で家庭用電気機器１Ｄ、１Ｅ、１Ｆを運転し、家庭用電気機器１Ｄ、１Ｅ、１Ｆで設定されている音声案内をする状況となった場合、家庭用電気機器１Ｄ、１Ｅ、１Ｆの制御部２Ｄ、２Ｅ、２Ｆよりその案内情報が電波により送信部１０Ａ、１０Ｂ、１０Ｃより送信される。そして、受信部１１がその電波を受信すると、その情報が音声案内制御部８Ｂによりその情報が処理され、音声情報として、音声出力部５Ａへ接続部７Ａを経由して電気的信号で伝達され、音声として案内される。こうすることにより、家庭用電気機器と音声案内装置の有線接続が不要で家庭用電気機器から離れた場所に居ても音声案内情報の確認を行うことができる。
【００７４】
（実施の形態３）
図５〜図６に示すように、音声案内装置本体４Ｃは、複数の音声出力部５Ａ、５Ｂと、この複数の音声出力部５Ａ、５Ｂと電気的に接続可能な接続部７Ａ、７Ｂと音声出力部５Ａ、５Ｂへの出力制御を行う音声案内制御部８Ｃを備えた音声案内装置９Ｃにより構成される。
【００７５】
実施例１同様に、家庭用電気機器１Ｄ、１Ｅ、１Ｆの一例として、音声にて機器の動作状態や、異常を案内する、炊飯器、冷蔵庫、空気清浄機、空気調和機等がある。
【００７６】
音声出力部５Ａ、５Ｂを音声案内装置本体４Ｃと電気的に接続可能として構成したが、音声案内が出力できれば、音声案内装置本体４Ｃに内蔵してもよい。音声出力部５Ａ、５Ｂの一例として、スピーカーがある。
【００７７】
音声出力部５Ａ、５Ｂと音声案内装置９Ｃは電気的に接続可能であれば、有線接続でも電波や赤外線を利用した無線通信でもよい。音声出力部５Ａ、５Ｂは２個としたが、２個以上であってもよい。
【００７８】
上記構成により、屋内の複数の部屋へ音声出力部５Ａ、５Ｂを設置し、家庭用電気機器１Ｄ、１Ｅ、１Ｆで設定されている音声案内をする状況となった場合、その情報を音声案内装置９Ｃで受信し、音声案内制御部８Ｃに伝達され音声その情報が処理され、音声情報として、接続部７Ａ、７Ｂから、音声出力部５Ａ、５Ｂへ出力され、音声として音声出力部５Ａ、５Ｂにて案内される。こうすることにより、複数の部屋で音声案内されるため、音声案内を聞き漏らすことが無くなる。
【００７９】
（実施の形態４）
図７〜図８に示すように、音声出力部５Ｃ、５Ｄに人感検出部１２を設けて構成される。  人感検出部１２として人体が放出する赤外線を検知するものがある。
【００８０】
上記構成により、家庭用電気機器１Ｄ、１Ｅ、１Ｆで設定されている音声案内をする状況となった場合、音声案内装置９Ｄで受信、処理された音声情報を音声出力５Ｃ、５Ｄへ出力する。そして、音声出力部５Ｃ、５Ｄは人感検出部１２で人の在室を検知した場合、はその音声情報を案内し、在室を検知しない場合は音声情報の案内を実施しない。こうすることにより、不要な場所での音声案内をなくすことができる。
【００８１】
（実施の形態５）
図９〜図１０に示すように、本体制御部２Ｇ、２Ｈ、２Ｉに接続され、この本体制御部２Ｇ、２Ｈ、２Ｉに予め記憶されている音声案内情報を出力する記憶情報出力部１３Ａ、１３Ｂ、１３Ｃと、音声案内情報を記憶した情報記憶装置１４Ａ，１４Ｂ、１４Ｃと、音声案内情報を記憶したバーコード（ＱＲコード）１５Ａ、１５Ｂ、１５Ｃを備えた家庭用電気機器１Ｇ、１Ｈ、１Ｉと、記憶情報出力部１３Ａ、１３Ｂ、１３Ｃと電気的に接続可能な記憶情報入力部１６と、情報記憶装置１４Ａ，１４Ｂ、１４Ｃを接続し、情報記憶装置１４Ａ，１４Ｂ、１４Ｃ内の情報を読み取り可能な情報記憶装置接続部１７と、携帯端末機器１８で読みよったバーコード（ＱＲコード）１５Ａ、１５Ｂ、１５Ｃを携帯端末機器１８より受信可能なバーコード受信部１９を備え、これらの記憶情報入力部１６、情報記憶装置接続部１７、バーコード受信部１９より入力された情報を処理し、音声出力部５Ｃ、５Ｄへ出力する音声案内制御部８Ｅを備えた音声案内装置９Ｅで構成される。
【００８２】
記憶情報出力部１３Ａ、１３Ｂ、１３Ｃと、記憶情報入力部１６は電気的に接続可能であれば、有線接続でも電波や赤外線を利用した無線通信でもよい。
【００８３】
情報記憶装置１４Ａ，１４Ｂ、１４Ｃの一例として、不揮発性メモリーを用いたマルチメディアカードがある。
【００８４】
携帯端末機器１８の一例として、バーコード（ＱＲコード）読み取り手段と赤外線通信機能を有した携帯電話機がある。
【００８５】
上記構成により、家庭用電気機器１Ｇの記憶情報出力部部１３Ａと、記憶情報入力部１６を電気的に接続することで、家庭用電気機器の本体制御部２Ｇに記憶されている音声案内情報が音声案内制御部８Ｅに記憶される。順次家庭用電気機器１Ｈ、１Ｉを記憶情報入力部１６に接続することで、本体制御部２Ｈ、２Ｉに記憶されている音声情報が音声案内制御部８Ｅに記憶されることになる。
【００８６】
また、家庭用電気機器１Ｇ、１Ｈ、１Ｉが情報記憶装置１４Ａ，１４Ｂ、１４Ｃを有している場合、この情報記憶装置１４Ａ，１４Ｂ、１４Ｃを情報記憶装置接続部１７に順次接続することで、情報記憶装置１４Ａ，１４Ｂ、１４Ｃに記憶されている家庭用電気機器１Ｇ、１Ｈ、１Ｉの音声案内情報を音声案内制御部８Ｅに記憶されることになる。
【００８７】
また、家庭用電気機器１Ｇ、１Ｈ、１Ｉの音声案内情報を意味するバーコード（ＱＲコード）１５Ａ、１５Ｂ、１５Ｃを有している場合、バーコード（ＱＲコード）１５Ａ、１５Ｂ、１５Ｃを読み取り可能な携帯端末機器１８にてそのコードを読み取る。そしてその情報を携帯端末機器１８より送信すると、音声案内装置９Ｅに設けているバーコード受信部１９が受信し、家庭用電気機器１Ｇ、１Ｈ、１Ｉの音声案内情報が音声案内制御部８Ｅに記憶されることになる。
【００８８】
また、音声案内制御部８Ｅを操作することで音声案内制御部８Ｅ内に記憶された音声案内のメッセージ内容や、音質を使用者の好みに合わせて変更することができる。例えば、メッセージ内容が長く聞き取りにくい場合は、使用者が理解できる簡単な内容に変更したり、音域が聞き取りにくい音域の場合は使用者が聞き取り易い音域へ変更ができる。
【００８９】
そして、家庭用電気機器１Ｇ、１Ｈ、１Ｉが運転を行い、音声案内が必要になった場合、送信部１０Ａ、１０Ｂ、１０Ｃより音声案内が必要な旨の情報と、音声案内の種類の送信を行う。そして受信部１１がその情報を受信すると、音声案内制御部８Ｅより音声出力部５Ｃ、５Ｄへ音声信号が出力される。また、人感検出部１２により人を感知した音声出力部より音声案内される。こうすることにより、さまざまな方法で音声案内情報を記憶でき、使用者の好みに合わせた案内に変更することができる。
【００９０】
（実施の形態６）
図１１〜図１２に示すように、特定小電力の電波を用いて音響機器２０や、映像機器２１へ情報を送信可能な情報送信部２２を備えた音声案内制御部８Ｅで構成される。音響機器の一例としてラジオがある。映像機器の一例としてテレビジョンなどがある。
【００９１】
上記構成により、音声案内を必要とする家庭用電気機器１Ｄ、１Ｅ、１Ｆなどからの音声案内情報を、音声案内装置９Ｆが受信すると、音声案内制御部８Ｅにて信号が処理され、情報送信部２２から音響機器２０や映像機器２１に特定省電力の電波にて送信し、必要とされる案内情報を音響機器２０より音声で案内したり、映像機器２１より音声により案内したり、あるいは文字情報として映像機器２１の表示部に表示することができる。こうすることにより、家庭内にある機器を有効利用しかつ、少施工で音声案内することができることとなる。
【産業上の利用可能性】
【００９２】
宿泊施設等において各部屋に設置している電気機器の運転状況や、異常内容を宿泊施設管理室で管理、確認することで、機器異常時の対応等のサービスの実現が可能である。
【図面の簡単な説明】
【００９３】
【図１】本発明の実施の形態１の音声ガイドシステムの機器接続の構成を示す構成図
【図２】同上音声ガイドシステムの構成を示す構成図
【図３】本発明の実施の形態２の音声ガイドシステムの機器接続の構成を示す構成図
【図４】同上音声ガイドシステムの構成を示す構成図
【図５】本発明の実施の形態３の音声ガイドシステムの機器接続の構成を示す構成図
【図６】同上音声ガイドシステムの構成を示す構成図
【図７】本発明の実施の形態４の音声ガイドシステムの機器接続の構成を示す構成図
【図８】同上音声ガイドシステムの構成を示す構成図
【図９】本発明の実施の形態５の音声ガイドシステムの機器接続構成を示す構成図
【図１０】同上音声ガイドシステムの構成を示す構成図
【図１１】本発明の実施の形態６の音声ガイドシステムの機器接続の構成を示す構成図
【図１２】同上音声ガイドシステムの構成を示す構成図
【図１３】従来のガイドシステムの構成を示す構成図
【符号の説明】
【００９４】
１Ａ    家庭用電気機器
１Ｂ    家庭用電気機器
１Ｃ    家庭用電気機器
１Ｄ    家庭用電気機器
１Ｅ    家庭用電気機器
１Ｆ    家庭用電気機器
２Ａ    制御部
２Ｂ    制御部
２Ｃ    制御部
３Ａ    接続部
３Ｂ    接続部
３Ｃ    接続部
４Ａ    音声案内装置本体
４Ｂ    音声案内装置本体
４Ｃ    音声案内装置本体
４Ｄ    音声案内装置本体
５Ａ    音声出力部
５Ｂ    音声出力部
５Ｃ    音声出力部
５Ｄ    音声出力部
６Ａ    音声案内装置側接続部
６Ｂ    音声案内装置側接続部
６Ｃ    音声案内装置側接続部
７Ａ    接続部
７Ｂ    接続部
８Ａ    音声案内制御部
８Ｂ    音声案内制御部
８Ｃ    音声案内制御部
８Ｄ    音声案内制御部
８Ｅ    音声案内制御部
９Ａ    音声案内装置
９Ｂ    音声案内装置
９Ｃ    音声案内装置
９Ｄ    音声案内装置
１０Ａ  送信部
１０Ｂ  送信部
１０Ｃ  送信部
１１    受信部
１２    人感検出部
１３Ａ  記憶情報出力部
１３Ｂ  記憶情報出力部
１３Ｃ  記憶情報出力部
１４Ａ  情報記憶装置
１４Ｂ  情報記憶装置
１４Ｃ  情報記憶装置
１５Ａ  バーコード（ＱＲコード）
１５Ｂ  バーコード（ＱＲコード）
１５Ｃ  バーコード（ＱＲコード）
１６    記憶情報入力部
１７    情報記憶装置接続部
１８    携帯端末機器
１９    バーコード受信部
２０    音響機器
２１    映像機器
２２    情報送信部
【図１】
2008065420.tif 000003
【図２】
2008065420.tif 000004
【図３】
2008065420.tif 000005
【図４】
2008065420.tif 000006
【図５】
2008065420.tif 000007
【図６】
2008065420.tif 000008
【図７】
2008065420.tif 000009
【図８】
2008065420.tif 000010
【図９】
2008065420.tif 000011
【図１０】
2008065420.tif 000012
【図１１】
2008065420.tif 000013
【図１２】
2008065420.tif 000014
【図１３】
2008065420.tif 000015